(57)【特許請求の範囲】
【請求項１】
発熱部材に取り付けられるヒートシンクと、前記ヒートシンクを冷却するためのファンモータと、前記ファンモータを前記ヒートシンクに着脱自在に取り付けるための取付手段と、から構成された冷却装置において、
前記ヒートシンクは、前記発熱部材に取り付けられるベース部と、前記ベース部の両側部に設けられた一対の支持壁部と、前記一対の支持壁部間にて前記ベース部から前記ファンに向けて延びる複数の冷却フィンと、を備えており、
前記ファンモータは、前記ヒートシンクの前記一対の支持壁部に着脱自在に取り付けられるファンハウジングと、前記ファンハウジングに取り付けられたモータ手段と、前記モータ手段によって回転される羽根と、を備えており、
前記ファンハウジングは、前記ヒートシンクの前記複数の冷却フィンに対向するハウジング本体部と、前記ハウジング本体部の両側部から前記ヒートシンクの前記一対の支持壁部に向けて延びる一対の側壁部と、を有しており、
前記取付手段は、前記ヒートシンク側の一方の支持壁部に設けられた係合突部及び他方の支持壁部に設けられた係合爪部と、前記モータハウジング側の一方の側壁部に設けられた枢支突部及び他方の側壁部に設けられた開閉爪部から構成され、前記一方の側壁部の前記枢支突部が前記一方の支持壁部の前記係合突部に、また前記他方の側壁部の前記開閉爪部が前記他方の支持壁部の係合爪部に解除自在に係合し、
前記ファンハウジングの前記枢支突部及び前記開閉爪部に対応する部位と、その他の部位との間には、前記側壁部から前記ハウジング本体部に延びる切欠きが設けられ、前記枢支突部及び前記開閉爪部に対応する部位においては、前記側壁部から前記ハウジング本体部にわたって弧状に延びていることを特徴とする冷却装置。
【請求項２】
前記ファンハウジングの前記側壁部から前記ハウジング本体部にわたって弧状に延びる部位の半径は５〜２０ｍｍであることを特徴とする請求項１記載の冷却装置。
【請求項３】
前記ヒートシンクの前記係合突部及び前記係合爪部は、その一端から他端まで延びており、前記ファンハウジングの前記枢支突部は前記一方の側壁部の両端部に設けられ、その前記開閉爪部は前記他方の側壁部の両端部に設けられ、前記一対の枢支突部及び前記一対の開閉爪部の内側に、それぞれ、前記切欠きが設けられていることを特徴とする請求項１又は２記載の冷却装置。
【請求項４】
前記ファンハウジングの前記一方の側壁部においては、一対の切欠きの外側の両端部は、前記一対の切欠きの内側の中央部よりも前記ヒートシンクに向けて突出し、前記枢支突部は前記一方の側壁部の前記両端部の外面に設けられ、前記係合突部は前記ヒートシンクの前記一方の支持壁部の内面に設けられ、前記ヒートシンクに前記ファンモータを着脱自在に装着すると、前記ファンハウジングの前記一方の側壁部の前記中央部が前記ヒートシンクの前記一方の支持壁部の先端部に当接するとともに、前記一方の側壁部の両端部に設けられた前記枢支突部が前記一方の支持壁部の前記係合突部に係合することを特徴とする請求項３記載の冷却装置。
【請求項５】
前記ファンハウジングの前記他方の側壁部においては、一対の切欠きの外側の両端部は、前記一対の切欠きの内側の中央部よりも前記ヒートシンクに向けて突出し、前記開閉爪部は前記他方の側壁部の前記両端部の外面に設けられ、前記係合爪部は前記ヒートシンクの前記他方の支持壁部の内面に設けられ、前記ヒートシンクに前記ファンモータを着脱自在に装着すると、前記ファンハウジングの前記他方の側壁部の前記中央部が前記ヒートシンクの前記他方の支持壁部の先端部に当接するとともに、前記他方の側壁部の両端部に設けられた前記開閉爪部が前記他方の支持壁部の前記係合爪部に係合することを特徴とする請求項３又は４記載の冷却装置。
【請求項６】
前記ファンハウジングには、前記発熱部材を前記ヒートシンクに固定するためのクランプ手段が着脱自在に装着されるように構成され、また、前記ファンハウジングの前記ハウジング本体部には、ベンチュリの一部を構成する環状突出部が設けられ、前記環状突出部の少なくとも一部が切り欠かれており、前記クランプ手段を前記ファンハウジングに装着すると、前記クランプ手段の一部が前記環状突出部の切欠き部に位置することを特徴とする請求項１〜５のいずれかに記載の冷却装置。
【発明の詳細な説明】
【０００１】
【発明の属する技術分野】
本発明は、半導体素子等の発熱部材を冷却するための冷却装置に関する。
【０００２】
【従来の技術】
発熱部材を冷却するための冷却装置として、出願人は、例えば、図６に示す通りのものを提案した。この提案した冷却装置は、ヒートシンク２と、ヒートシンク２を冷却するためのファンモータ４と、ファンモータ４をヒートシンク２に取り付けるための取付手段６と、から構成されている。ヒートシンク２は、ベース部８と、ベース部８の両側部に設けられた一対の支持壁部１０，１２と、ベース部８に設けられた複数の冷却フィン１４と、を有している。また、ファンモータ４は、ファンハウジング１６と、ファンハウジング１６に取り付けられたモータ手段（図示せず））と、モータ手段によって回転されるファン（図示せず）と、を備えている。ファンハウジング１６はハウジング本体部１７を備え、このハウジング本体部１７の両側部に、ヒートシンク２に向けて延びる一対の側壁部１８，２０が設けられている。
【０００３】
取付手段６は、ヒートシンク２側の一方の支持壁部１０（図６において右側）に設けられた係合突部２２及び他方の支持壁部１２（図６において左側）に設けられた係合爪部２４と、ファンハウジング１６側の一方の側壁部１８に設けられた枢支突部２６及び他方の側壁部２０に設けられた開閉爪部２８とから構成されている。ヒートシンク２にファンモータ４を装着するには、ファンハウジング１６の枢支突部２６をヒートシンク２の係合突部２２に係合させ、この係合状態を維持しながらファンモータ４をヒートシンク２側に移動させてその開閉爪部２８をヒートシンク２の係合爪部２４に係合させればよく、このようにすることによって、ファンモータ４をヒートシンク２に着脱自在に装着することができる。
【０００４】
【発明が解決しようとする課題】
しかしながら、この冷却装置には、次の通りの解決すべき問題がある。即ち、この提案した冷却装置では、図６に示すように、ファンハウジング１６側において、一対の側壁部１８，２０がハウジング本体部１７から実質上垂直に延び、かく延びる側壁部１８，２０の先端部に枢支突部２６及び開閉爪部２８が設けらている。ヒートシンク２にファンモータ４を装着する際には、ファンハウジング１６側の開閉爪部２８がヒートシンク２側の係合爪部２４を乗り越えてこれに係合するようになり、またヒートシンク２からファンモータ４を取り外す際には、この係合爪部２４と開閉爪部２８との係合を解除して取り外すようになる。このようにしてファンモータの装着、離脱が行われるので、これらの際にはファンハウジング１６の一対の側壁部１８，２０がある程度弾性変形しなければならないが、ファンハウジング１６は、通常、ＰＢＴ樹脂（ガラス３０％含有）等の比較的硬い合成樹脂から形成されるので、充分に弾性変形することができず、これらの際に、ハウジング本体部１７と一対の側壁部１８，２０との接続部に応力が集中し、一対の側壁部１８，２０の一部、これらに設けられた枢支突部２６、開閉爪部２８が破損するおそれがある。
【０００５】
本発明の目的は、ファンモータの装着、離脱の際の応力集中を抑え、これによってファンハウジングの破損を防止することができる冷却装置を提供することである。
【０００６】
【課題を解決するための手段】
本発明は、発熱部材に取り付けられるヒートシンクと、前記ヒートシンクを冷却するためのファンモータと、前記ファンモータを前記ヒートシンクに着脱自在に取り付けるための取付手段と、から構成された冷却装置において、
前記ヒートシンクは、前記発熱部材に取り付けられるベース部と、前記ベース部の両側部に設けられた一対の支持壁部と、前記一対の支持壁部間にて前記ベース部から前記ファンに向けて延びる複数の冷却フィンと、を備えており、
前記ファンモータは、前記ヒートシンクの前記一対の支持壁部に着脱自在に取り付けられるファンハウジングと、前記ファンハウジングに取り付けられたモータ手段と、前記モータ手段によって回転される羽根と、を備えており、
前記ファンハウジングは、前記ヒートシンクの前記複数の冷却フィンに対向するハウジング本体部と、前記ハウジング本体部の両側部から前記ヒートシンクの前記一対の支持壁部に向けて延びる一対の側壁部と、を有しており、
前記取付手段は、前記ヒートシンク側の一方の支持壁部に設けられた係合突部及び他方の支持壁部に設けられた係合爪部と、前記モータハウジング側の一方の側壁部に設けられた枢支突部及び他方の側壁部に設けられた開閉爪部から構成され、前記一方の側壁部の前記枢支突部が前記一方の支持壁部の前記係合突部に、また前記他方の側壁部の前記開閉爪部が前記他方の支持壁部の係合爪部に解除自在に係合し、
前記ファンハウジングの前記枢支突部及び前記開閉爪部に対応する部位と、その他の部位との間には、前記側壁部から前記ハウジング本体部に延びる切欠きが設けられ、前記枢支突部及び前記開閉突部に対応する部位においては、前記側壁部から前記ハウジング本体部にわたって弧状に延びていることを特徴とする。
【０００７】
本発明に従えば、ファンモータをヒートシンクに着脱自在に取り付けるための取付手段は、ヒートシンクの一方の支持壁部の係合突部及び他方の支持壁部の係合爪部と、ファンハウジングの一方の側壁部の枢支突部及び他方の側壁部の開閉爪部とから構成され、ヒートシンクにファンモータを着脱自在に装着すると、一方の支持壁部の係合突部とファンハウジングの一方の側壁部の枢支突部とが係合されるとともに、他方の支持壁部の係合爪部とファンハウジングの他方の側壁部の開閉爪部とが係合される。このような取付構造において、ファンハウジングの枢支突部及び開閉爪部に対応する部位とその他の部位との間には、側壁部からハウジング本体部に延びる切欠きが形成されているので、この切欠きによって、枢支突部及び開閉爪部に対応する部位とその他の部位とが分離され、これによって、枢支突部及び開閉爪部に対応する部位の弾性変形が容易となるとともに、かかる部位に作用する応力がその他の部位、即ちモータ手段を支持する部位に伝達されることがほとんどない。更に、枢支突部及び開閉爪部に対応する部位においては、側壁部からハウジング本体部に渡って弧状に延びているので、側壁部を弾性変形させた際にも応力が特定部位に集中することを回避することができる。かくして、枢支突部及び開閉爪部に対応する部位における弾性変形を容易にするとともに、かかる部位の弾性変形時における応力集中を少なくし、かくして、ファンハウジングの破損を防止することができる。
【０００８】
また、本発明では、前記ファンハウジングの前記側壁部から前記ハウジング本体部にわたって弧状に延びる部位の半径は５〜２０ｍｍであることを特徴とする。
【０００９】
本発明に従えば、ファンハウジングの側壁部からハウジング本体部にわたって弧状に延びる部位の半径が５〜２０ｍｍであるので、弾性変形時の応力集中を少なくすることができるとともに、小型の冷却装置に好都合に適用することができる。この部位の半径が５ｍｍより小さくなると、側壁部を弾性変形させた際に応力集中が生じるようになり、また、この部位の半径が２０ｍｍより大きくなると、弧状部分が大きくなって小型の冷却装置に不向きとなる。
【００１０】
また、本発明では、前記ヒートシンクの前記係合突部及び前記係合爪部は、その一端から他端まで延びており、前記ファンハウジングの前記枢支突部は前記一方の側壁部の両端部に設けられ、その前記開閉爪部は前記他方の側壁部の両端部に設けられ、前記一対の枢支突部及び前記一対の開閉爪部の内側に、それぞれ、前記切欠きが設けられていることを特徴とする。
【００１１】
本発明に従えば、ヒートシンクの係合突部及び係合爪部はその一端から他端まで延び、またファンハウジングの枢支突部及び開閉爪部はその両端部に設けられているので、ファンハウジングの一方の側壁部の両端部の枢支突部がヒートシンクの係合突部に、またその他方の側壁部の両端部の開閉爪部がヒートシンクの係合爪部に係合され、これによって、ファンハウジングをヒートシンクに着脱自在に確実に取り付けることができる。
【００１２】
また、本発明では、前記ファンハウジングの前記一方の側壁部においては、一対の切欠きの外側の両端部は、前記一対の切欠きの内側の中央部よりも前記ヒートシンクに向けて突出し、前記枢支突部は前記一方の側壁部の前記両端部の外面に設けられ、前記係合突部は前記ヒートシンクの前記一方の支持壁部の内面に設けられ、前記ヒートシンクに前記ファンモータを着脱自在に装着すると、前記ファンハウジングの前記一方の側壁部の前記中央部が前記ヒートシンクの前記一方の支持壁部の先端部に当接するとともに、前記一方の側壁部の両端部に設けられた前記枢支突部が前記一方の支持壁部の前記係合突部に係合することを特徴とする。
【００１３】
本発明に従えば、ファンハウジングの一方の側壁部においては、一対の切欠きの外側の両端部は、その中央部よりもヒートシンクに向けて突出し、枢支突部はこの側壁部の両端部の外面に設けられ、係合突部はヒートシンクの一方の支持壁部の内面に設けられている。そして、ヒートシンクにファンモータを着脱自在に装着すると、ファンハウジングの一方の側壁部の中央部がヒートシンクの一方の支持壁部の先端部に当接するとともに、一方の側壁部の両端部の枢支突部が一方の支持壁部の係合突部に係合し、かくして、ファンハウジングの一方側をヒートシンクに確実に取り付けることができる。
【００１４】
また、本発明では、前記ファンハウジングの前記他方の側壁部においては、一対の切欠きの外側の両端部は、前記一対の切欠きの内側の中央部よりも前記ヒートシンクに向けて突出し、前記開閉爪部は前記他方の側壁部の前記両端部の外面に設けられ、前記係合爪部は前記ヒートシンクの前記他方の支持壁部の内面に設けられ、前記ヒートシンクに前記ファンモータを着脱自在に装着すると、前記ファンハウジングの前記他方の側壁部の前記中央部が前記ヒートシンクの前記他方の支持壁部の先端部に当接するとともに、前記他方の側壁部の両端部に設けられた前記開閉爪部が前記他方の支持壁部の前記係合爪部に係合することを特徴とする。
【００１５】
本発明に従えば、ファンハウジングの他方の側壁部においては、一対の切欠きの外側の両端部は、その中央部よりもヒートシンクに向けて突出し、開閉爪部はこの側壁部の両端部の外面に設けられ、係合爪部はヒートシンクの他方の支持壁部の内面に設けられている。そして、ヒートシンクにファンモータを着脱自在に装着すると、ファンハウジングの他方の側壁部の中央部がヒートシンクの他方の支持壁部の先端部に当接するとともに、他方の側壁部の両端部の開閉爪部が他方の支持壁部の係合爪部に係合し、かくして、ファンハウジングの他方側をヒートシンクに確実に取り付けることができる。
【００１６】
更に、本発明では、前記ファンハウジングには、前記発熱部材を前記ヒートシンクに固定するためのクランプ手段が着脱自在に装着されるように構成され、また、前記ファンハウジングの前記ハウジング本体部には、ベンチュリの一部を構成する環状突出部が設けられ、前記環状突出部の少なくとも一部が切り欠かれており、前記クランプ手段を前記ファンハウジングに装着すると、前記クランプ手段の一部が前記環状突出部の切欠き部に位置することを特徴とする。
【００１７】
本発明に従えば、ファンハウジングには、発熱部材をヒートシンクに固定するためのクランプ手段が取り付けられるように構成されている。そして、このクランプ手段を取り付けると、クランプ手段の一部が、ベンチュリの一部を構成する環状突出部の切欠き部に位置するので、この切欠き部がクランプ手段の前記一部によって塞がれ、これによって、環状突出部及びクランプ手段の一部は協働して環状のベンチュリを規定し、このような構成に関連して、冷却装置の小型化を図ることができる。
【００１８】
【発明の実施の形態】
以下、図１〜図５を参照して、本発明に従う冷却装置の一実施形態について説明する。図１は、本発明に従う冷却装置の一実施形態の平面図であり、図２は、図１におけるＩＩ−ＩＩ線による断面図であり、図３は、図１の冷却装置のヒートシンク及びファンハウジングを分解して示す右側面図であり、図４は、図１の冷却装置のヒートシンク及びファンハウジングを分解して示す左側面図であり、図５は、図１におけるＶ−Ｖ線による断面図である。
【００１９】
図１及び図２において、図示の冷却装置は、ヒートシンク５２と、このヒートシンク５２に取り付けられるファンモータ５４と、ヒートシンク５２にファンモータ５４を着脱自在に取り付けるための取付手段５６（図５も参照）と、を備えている。図示のヒートシンク５２は、略矩形状のベース部５８と、このベース部５８の両側部に設けられた支持壁部６０，６２と、ベース部５８の一対の支持壁部６０，６２間に設けられた複数の冷却フィン６４とを有している。複数の冷却フィン６４は、一対の支持壁部６０，６２間に幅方向（図１において上下方向、図２において左右方向）に間隔をおいて設けられ、複数の冷却フィン６４及び一対の支持壁部６０，６２は、ベース部５８から実質上垂直上方に延び、ヒートシンク５２の一端から他端まで直線状に延びている。このようなヒートシンク５２は、アルミニウム又はアルミ合金に押出成形により一体的に形成される。このヒートシンク５２のベース部５８には、その下面に接触するように発熱部材６６、例えばＣＰＵ等の半導体素子が取り付けられる。
【００２０】
図示のファンモータ５４は、ヒートシンク５２に後述する如くして装着されるファンハウジング６８と、このファンハウジング６８に装着されたモータ手段７０と、モータ手段７０により回転される複数の羽根７２と、を備えている。ファンハウジング６８は、ヒートシンク５２のベース部５８の形状にほぼ対応した略矩形状のハウジング本体部７４を有し、このハウジング本体部７４の中央の大部分にベンチュリ開口７６が設けられ、このベンチュリ開口７６にモータ手段７０が配設されている。ハウジング本体部７４の両側部には、ヒートシンク５２の一対の支持壁部６０，６２に対応して、一対の側壁部７８，８０が設けられている。
【００２１】
図示のモータ手段７０はモータハウジング８２を備え、このモータハウジング８２が周方向に間隔をおいて配設された４個の接続部８４を介してハウジング本体部８４に接続されている。この形態では、ファンハウジング６８、モータハウジング８２及び接続部８４が合成樹脂（例えばＰＢＴ樹脂）の一体成形により形成されている。モータハウジング８２の中央部には支持スリーブ壁８４が一体的に設けられ、この支持スリーブ壁８４に一対の軸受８６を介して回転軸８８が回転自在に支持されている。回転軸８８の一端部はカップ状のロータ９０の端壁９２に固定され、このロータ９０の周側壁９４の内周面にヨーク部材９６を介して環状ロータマグネット９８が装着されている。ロータマグネット９８に対向してその半径方向内側にはステータ１００が配設され、このステータ１００は、支持スリーブ壁８４の外周面に装着されたステータコア１０２と、このステータコア１０２に所要の通りに巻かれたコイル１０４から構成されている。複数枚の羽根７２は、ロータ９０の周側壁９４の外周面に周方向に間隔をおいて設けられ、例えばロータ９０と一体的に形成される。
【００２２】
このように構成されているので、コイル１０４に駆動電流が所要の通りに供給されると、ステータ１００とロータマグネット９８との相互磁気作用によってロータ９０及び羽根７２が所定方向に回転し、これによって、周囲の空気は、複数の冷却フィン６４の間を通して流れ、その後ファンモータ５４のハウジング本体部７４のベンチュリ開口７６を通して図２において上方に流れる。
【００２３】
この冷却装置は、クランプ手段１０６（図１参照）によって、発熱部材６６に着脱自在に取り付けられる。図示のクランプ手段１０６は一対のクランプ部材１０８，１１０を有し、一方のクランプ部材１０８は冷却装置の一端部（図１において右端部）にてモータハウジング６８及びヒートシンク５２を介して発熱部材６６を着脱自在にクランプし、また他方のクランプ部材１１０は冷却装置の他端部（図１において左端部）にてモータハウジング６８及びヒートシンク５２を介して発熱部材６６を着脱自在にクランプし、このクランプ手段１０６によってヒートシンク５２のベース部５８が発熱部材６６に直接的に接触するように取り付けられる。このように発熱部材６６に冷却装置が取り付けられるので、発熱部材６６にて発生した熱はヒートシンク５２のベース部５８を介して複数の冷却フィン６４に伝達され、これら冷却フィン６４からそれらの間を通して流れる空気に放熱され、このようにして発熱部材６６が冷却される。
【００２４】
この冷却装置においては、クランプ手段１０６に関連して、次の通りに構成されている。図１及び図５を参照して、ファンハウジング６８のハウジング本体部７４には環状突出部１１２が一体的に設けられ、この環状突出部１１２は、ハウジング本体部７４によって規定されたベンチュリ開口７６から延びる下流側ベンチュリ開口を規定し、空気が流れるベンチュリの一部を構成する。この形態では、環状突出部１１２の一部、具体的には長手方向（図１において左右方向、図５において紙面に垂直な方向）の対向する部位には、約６０度の角度範囲にわたって切欠き１１４，１１６が形成されている。そして、一方の切欠き１１４に対応してクランプ手段１０６の一方のクランプ部材１０８が配置され、発熱部材６６にヒートシンク５２及びファンモータ５４をクランプすると、そのクランプ部材１０８が一方の切欠き１１４に位置する。また、他方の切欠き１１６に対応してクランプ手段１０６の他方のクランプ部材１１０が配置され、上述したと同様に発熱部材６６にヒートシンク５２等をクランプすると、そのクランプ部材１１０が他方の切欠き１１６に位置する。従って、一対のクランプ部材１０８，１１０はこれら切欠き１１４，１１６を塞ぐように作用し、環状突出部１１２と協働して下流側ベンチュリ開口を規定する。このように構成することによって、環状突出部１１２に関連して冷却装置の長手方向（図１において左右方向）の大きさを小さくすることができ、冷却装置の小型化を図ることができる。
【００２５】
尚、図示の形態では、環状突出部１１２に対向して一対の切欠き１１４，１１６を設けているが、このような構成に限定されず、これら切欠き１１４，１１６のいずれか一方のみを設けるようにしてもよい。
【００２６】
次に、図２〜図４を参照して、ヒートシンク５２にファンモータ５４を取り付けるための取付手段５６について説明する。図示の取付手段５６は、ヒートシンク２側に設けられた係合突部１２２及び係合爪部１２４と、ファンモータ５４側に設けられた枢支突部１２６及び開閉爪部１２８とから構成されている。係合突部１２２は、ヒートシンク５２の一方の支持壁部６０の上端部に設けられ、その内面から内方に突出し、支持壁部６０の一端から他端まで延びている。また、係合爪部１２４は、ヒートシンク５２の他方の支持壁部６２の上部に設けられ、その爪部が肺胞に突出し、この支持壁部６２の一端から他端まで延びている。枢支突部１２６（図３参照）は、係合突部１２２に対応して設けられ、ファンハウジング６８の一方の側壁部７８の両端部７８ａに設けられ、その外面から外方に突出している。また、開閉爪部１２８（図４参照）は、係合爪部１２４に対応して設けられ、ファンハウジング６８の他方の側壁部８０の両端部８０ａに設けられ、その外面から外方に突出している。
【００２７】
ファンハウジング６８の枢支突部１２６及び開閉爪部１２８に関連して、切欠き１３０，１３２が設けられている。切欠き１３０はファンハウジング６８の一方の側壁部７８の枢支突部１２６の内側に設けられ、側壁部７８からハウジング本体部７４まで延びており（図１も参照）、このように切欠き１３０を設けることによって、枢支突部１２６が設けられた部位、この実施形態では側壁部７８の両端部７８ａが他の部位、即ちその中央部から分離されている。また、他方の切欠き１３２はファンハウジング６８の他方の側壁部８０の開閉爪部１２８の内側に設けられ、上述したと同様に、側壁部８０からハウジング本体部７４まで延びており（図１も参照）、このように切欠き１３２を設けることによって、開閉爪部１２８が設けられた部位、この実施形態では側壁部８０の両端部８０ａが他の部位、即ちその中央部から分離されている。このように構成することによって、枢支突部１２６が設けられた端部７８ａ及び開閉爪部１２８が設けられた端部８０ａの弾性変形が容易となって大きな変形が許容されるとともに、これら端部７８ａ，８０ａに作用する応力がハウジング本体部７４に伝達することを回避することができる。
【００２８】
枢支突部１２６に対応する部位、即ち一方の側壁部７８の両端部７８ａにおいては、側壁部７８ａからハウジング本体部７４にわたって弧状に延びており、また開閉爪部１２８に対応する部位、即ち他方の側壁部８０の両端部８０ａにおいても、側壁部８０ａからハウジング本体部７４にわたって弧状に延びている（図５参照）。このようにこれら部位を弧状に形成することによって、側壁部７８ａ，８０ａの弾性変形した際にも応力集中が発生せず、側壁部７８ａ，８０ａの破損を防止することができる。これら弧状に延びている部位の半径（肉厚の中心線の半径）は、５〜２０ｍｍにするのが好ましい。
【００２９】
この実施形態では、更に、ファンハウジング６８の一方の側壁部７８においては、図３に示すように、その両端部７８ａはその中央部（切欠き１３０間の部位）よりもヒートシンク５２側に突出し、このように構成して、図３に二点鎖線で示すように、その中央部がヒートシンク５２の一方の支持側壁６０の上端面に当接するとともに、両端部７８ａの枢支突部１２６がこの支持壁部６０の係合突部１２２に係合される。また、他方の側壁部８０においては、図４に示すように、その両端部８０ａはその中央部（切欠き１３２間の部位）よりもヒートシンク５２側に突出し、このように構成して、図４に二点鎖線で示すように、その中央部がヒートシンク５２の他方の支持側壁６２の上端面に当接するとともに、両端部８０ａの開閉爪部１２８がこの支持壁部６２の係合爪部１２４に係合される。
【００３０】
また、ファンハウジング６８の一方の側壁部７８の長さは、ヒートシンク５２の長さよりも大きく形成されており、このことに関連して、この側壁部７８の両端部７８ａには、それぞれ、ヒートシンク５２の長さに対応して位置決め凹部１３６，１３８が設けられ、図３に二点鎖線で示すように、ヒートシンク５２の一方の支持壁部６０の両角部が位置決め凹部１３６，１３８に位置付けられるように構成されている。かかる位置決め凹部１３６，１３８の上規定面は、側壁部７８の中央部の下面と実質上同一面を規定する。また、ファンハウジング６８の他方の側壁部８０の長さは、ヒートシンク５２の長さよりも大きく形成されており、このことに関連して、この側壁部８０の両端部８０ａにも、それぞれ、ヒートシンク５２の長さに対応して位置決め凹部１４０，１４２が設けられ、図４に二点鎖線で示すように、ヒートシンク５２の他方の支持壁部６２の両角部が位置決め凹部１４０，１４２に位置付けられるように構成されている。かかる位置決め凹部１４０，１４２の上規定面は、他方の側壁部８０の中央部の下面と実質上同一面を規定する。
【００３１】
更に、各側壁部７８，８０の中央部には、その内側部に長手方向に間隔をおいて当接突部１４４，１４６が設けられ、これら当接突部１４４，１４６は、ヒートシンク５２の支持壁部６０，６２の上端部内面に当接し、各側壁部７８，８０の中央部とヒートシンク５２の支持壁部６０，６２とを所定の位置関係に保持する。また、他方の側壁部８０の位置決め凹部１４０，１４２内の上部には、その他の部位よりも幾分窪み量が小さい当接作用部１４８，１５０が設けられ、シートシンク５２の支持壁部６２の上端角部は、これら当接作用部１４８，１５０に当接される。
【００３２】
ファンモータ５４のヒートシンク５２への取付は、例えば、次の通りにして行われる。まず、ヒートシンク５２の一方の支持壁部６０の上端部をファンハウジング６８の一方の側壁部７８の中央部の下面に当接させるとともに、支持側壁６０の上端角部をこの側壁部７８の両端部７８ａの位置決め凹部１３６，１３８内に位置決ける。そして、この状態にて、ファンハウジング６８の他方側をヒートシンク５２側に向けて移動させ、ヒートシンク５２の他方の支持壁部６２の上端部をファンハウジング６８の他方の側壁部８０の中央部の下面に当接させるとともに、支持側壁６２の上端角部をこの側壁部８０の両端部８０ａの位置決め凹部１４０，１４２内に位置決ける。
【００３３】
かくすると、図２及び図５に示すように、ファンハウジング６８の枢支突部１２６がヒートシンク５２の係合突部１２２に係合するとともに、ファンハウジングの開閉爪部１２８がヒートシンク５２の係合爪部１２４を乗り越えてこれに係合し、かくしてファンモータ５４がヒートシンク５２に着脱自在に装着される。この装着状態においては、ヒートシンク５２の係合突部１２２及び係合爪部１２４がファンハウジング６８の枢支突部１２６及び開閉爪部１２８に係合するので、ファンモータ５４のヒートシンク５２に対する上方（ヒートシンク５２から離隔する方向）への移動が阻止される。また、ヒートシンク５２の支持壁部６０，６２の両角部がファンハウジング６８の側壁部７８，８０の位置決め凹部１４０，１４２，１４４，１４６内に位置するので、ファンモータ５４のヒートシンク５２に対する長手方向（図１，図３及び図４において左右方向、図２及び図５において紙面に垂直な方向）の移動が阻止されるとともに、このファンモータ５４のヒートシンク５２に対する下方（ヒートシンク５２に近接する方向）の移動が阻止される（この下方の移動は、ファンハウジング６８の側壁部７８，８０がヒートシンク５２の支持壁部６０，６２に当接することによっても阻止される）。ファンモータ５４はこのように装着されるので、ヒートシンク５２に確実に装着される。
【００３４】
尚、ヒートシンク５２からファンモータ５４を取り外すには、上述したとは反対に、ファンハウジング６８の他方の側壁部８０の両端部８０ａを内側に弾性変形させて開閉爪部１２８と係合爪部１２４との係合を解除し、この側壁部８０側をヒートシンク５２から離れる方向に移動すればよく。
【００３５】
以上、本発明に従う冷却装置の一実施形態について説明したが、本発明はかかる実施形態に限定されるものではなく、本発明の範囲を逸脱することなく種々の変形乃至修正が可能である。
【００３６】
例えば、図示の実施形態では、係合突部１２２及び係合爪部１２４をヒートシンク５２（支持壁部６０，６２）の一端から他端まで設けているが、このような構成に代えて、ファンハウジング６８の枢支突部１２６に対応する部位のみに係合突部１２２を設けるようにしてもよく、或いはファンハウジング６８の係合爪部１２８に対応する部位のみに係合爪部１２４を設けるようにしてもよい。
【００３７】
【発明の効果】
本発明の請求項１の冷却装置によれば、ファンハウジングの枢支突部及び開閉爪部に対応する部位とその他の部位との間には、側壁部からハウジング本体部に延びる切欠きが形成されているので、この切欠きによって、枢支突部及び開閉爪部に対応する部位とその他の部位とが分離され、これによって、枢支突部及び開閉爪部に対応する部位の弾性変形が容易となるとともに、かかる部位に作用する応力がその他の部位、即ちモータ手段を支持する部位に伝達されることがほとんどない。また、枢支突部及び開閉爪部に対応する部位においては、側壁部からハウジング本体部に渡って弧状に延びているので、側壁部を弾性変形させた際にも応力が特定部位に集中することが回避でき、かかる部位における破損を防止することができる。
【００３８】
また、本発明の請求項２の冷却装置によれば、ファンハウジングの側壁部からハウジング本体部にわたって弧状に延びる部位の半径が５〜２０ｍｍであるので、弾性変形時の応力集中を少なくすることができるとともに、小型の冷却装置に好都合に適用することができる。
【００３９】
また、本発明の請求項３の冷却装置によれば、ヒートシンクの係合突部及び係合爪部はその一端から他端まで延び、またファンハウジングの枢支突部及び開閉爪部はその両端部に設けられているので、一方の側壁部の両端部の枢支突部がヒートシンクの係合突部に、またその他方の側壁部の両端部の開閉爪部がヒートシンクの係合爪部に係合し、かくして、ファンハウジングをヒートシンクに着脱自在に確実に取り付けることができる。
【００４０】
また、本発明の請求項４の冷却装置によれば、ファンハウジングの一方の側壁部の中央部がヒートシンクの一方の支持壁部の先端部に当接するとともに、一方の側壁部の両端部の枢支突部が一方の支持壁部の係合突部に係合するので、ファンハウジングの一方側をヒートシンクに確実に取り付けることができる。
【００４１】
また、本発明の請求項５の冷却装置によれば、ファンハウジングの他方の側壁部の中央部がヒートシンクの他方の支持壁部の先端部に当接するとともに、他方の側壁部の両端部の開閉爪部が他方の支持壁部の係合爪部に係合するので、ファンハウジングの他方側をヒートシンクに確実に取り付けることができる。
【００４２】
更に、本発明の請求項６の冷却装置によれば、クランプ手段の一部が、ベンチュリの一部を構成する環状突出部の切欠き部に位置するので、環状突出部及びクランプ手段の一部は協働して環状のベンチュリを規定し、このような構成に関連して、冷却装置の小型化を図ることができる。
【図面の簡単な説明】
【図１】本発明に従う冷却装置の一実施形態を示す平面図である。
【図２】図１におけるＩＩ−ＩＩ線による断面図である。
【図３】図１の冷却装置のヒートシンク及びファンハウジングを分解して示す右側面図である。
【図４】図１の冷却装置のヒートシンク及びファンハウジングを分解して示す左側面図である。
【図５】図１におけるＶ−Ｖ線による断面図である。
【図６】従来の冷却装置の一例を示す、図５に対応する断面図である。
【符号の説明】
５２  ヒートシンク
５４  ファンモータ
５６  取付手段
５８  ベース部
６０，６２  支持壁部
６４  冷却フィン
６６  発熱部材
６８  ファンハウジング
７０  モータ手段
７２  羽根
７４  ハウジング本体部
７８，８０  側壁部
７８ａ，８０ａ  側壁部の端部
１０６  クランプ手段
１１２  環状突部
１１４  切欠き
１２２  係合突部
１２４  係合爪部
１２６  枢支突部
１２８  開閉爪部
１３０，１３２  切欠き
１３６，１３８，１４０，１４２  位置決め凹部
【図１】
0004517250.tif 000002
【図２】
0004517250.tif 000003
【図３】
0004517250.tif 000004
【図４】
0004517250.tif 000005
【図５】
0004517250.tif 000006
【図６】
0004517250.tif 000007